(57)【要約】      （修正有）【課題】圧縮保管ケースの空気を円滑に排出すると共に気密性によって外部空気の流入を効果的に遮断することにより、使用効率性を改善し、湿気、カビ菌などの浸透を効果的に防止するうえ、ハンガー方式で衣類を掛けて簡便に保管することを可能にする、衣類用圧縮保管ケースの空気排出弁の提供。【解決手段】本体１０とカバー２０とを真空保管ケースの上下で互に組み立てて設置し、内部空間部にレバー４０を挿入し昇降させることにより、本体１０とカバー２０との間に設置されるパッキング５０に密着させて空気通路を開閉するように構成し、パッキング５０はレバー４０の下部に設けられた垂直密着溝４５に水平、垂直に密着するように構成してなる、衣類用圧縮保管ケースの空気排出弁を提供する。【選択図】図４
2010064789.tif 000002
【特許請求の範囲】
【請求項１】
中央に空気通路（１１）を有する本体（１０）と、中央に案内孔（２２）および空気通路（２１）を有するカバー（２０）とを真空保管ケース（２）の上下で互に組み立てて設置し、前記本体（１０）と前記カバー（２０）との間の内部空間部（３０）にレバー（４０）を挿入し、昇降させることにより、前記本体と前記カバーとの間に設置されるパッキングに密着させて空気通路を開閉するように構成した圧縮保管ケースの空気排出弁において、
前記本体（１０）の空気通路（１１）の上部外側には円周上にパッキング組立溝（１５）を設け、該パッキング組立溝（１５）には上部の内、外側に突出する密着部（５１）（５５）を有するパッキング（５０）を挿入して組み立てて構成し、
前記パッキングの外側密着部（５１）は、上下でカバー（２０）の下部支持面（２３）と本体（１０）の上部支持面（１３）とに加圧密着し、前記内側密着部（５５）は、上側に設けられた水平支持面（５６）と、内側に形成された垂直支持面（５７）とからなり、レバー（４０）の下部円周上に段差を付けて設けられた密着溝（４５）の水平密着面（４６）と垂直密着面（４７）とに水平、垂直に密着するように構成してなることを特徴とする、衣類用圧縮保管ケースの空気排出弁。
【請求項２】
前記本体（１０）の上部両側から上方に対向して突出し、組立孔（１１２）を有する連結輪部（１１０）（１１０）と、前記連結輪部に両側の組立部（１２１）（１２１）が弾発的に挿入されて前後に回転可能に組み立てられる連結本体（１２０）と、前記連結本体の上部中央の組立孔（１２５）に挿入棒（１３１）が回転可能に挿入されて組み立てられるフック部（１３０）とによって、ハンガー方式で掛けて保管することが可能なフック組立体（１００）を構成してなることを特徴とする、請求項１に記載の衣類用圧縮保管ケースの空気排出弁。
【請求項３】
中央に空気通路（１１）を有する本体（１０）と、中央に案内孔（２２）および空気通路（２１）を有するカバー（２０）とを真空保管ケース（２）の上下で互に組み立てて設置し、前記本体（１０）と前記カバー（２０）との間の内部空間部（３０）にレバー（４０）を挿入し、昇降させることにより、前記本体と前記カバーとの間に設置されるパッキングに密着させて空気通路を開閉するように構成した圧縮保管ケースの空気排出弁において、
前記本体（１０）の上部両側から上方に対向して突出し、組立孔（１１２）を有する連結輪部（１１０）（１１０）と、前記連結輪部に両側の組立部（１２１）（１２１）が弾発的に挿入されて前後に回転可能に組み立てられる連結本体（１２０）と、前記連結本体の上部中央の組立孔（１２５）に挿入棒（１３１）が回転可能に挿入されて組み立てられるフック部（１３０）によって、ハンガー方式で掛けて保管することが可能なフック組立体（１００）を構成してなることを特徴とする、衣類用圧縮保管ケースの空気排出弁。
【請求項４】
前記本体（１０）の連結輪部（１１０）（１１０）には、組立孔における上部の一側外周縁に、薄肉部を成すように、凹部（１１３）を設け、
前記連結本体の組立部（１２１）（１２１）は、「コ」字状のボディ（１２２）の両側に、前記連結輪部の組立孔（１１２）に弾発的に挿入されて離脱防止のために係止される係止片（１２３）（１２３）を対向して設けることを特徴とする、請求項２または３に記載の衣類用圧縮保管ケースの空気排出弁。
【請求項５】
前記ハンガー（１３０）の下端の挿入棒（１３１）には係止部（１３２）を設け、前記連結本体の組立孔（１２５）には円周上に多数の分割溝（１２７）によって分割される弾発支持部（１２６）を設け、前記挿入棒（１３１）の係止部（１３２）が前記組立孔（１２５）の弾発支持部（１２６）に支持されて離脱防止されるように組み立てて構成してなることを特徴とする、請求項２または３に記載の衣類用圧縮保管ケースの空気排出弁。
【請求項６】
前記本体（１０）の下部中央には組立孔（７０）を設け、該組立孔（７０）にはハンガー孔（２１０）を形成するハンガー具（２００）の上部の挿入棒（２２０）を挿入して回転可能に互に組み立てて構成し、
前記挿入棒（２２０）には係止部（２２２）を設け、前記本体の組立孔（７０）には円周上に多数の分割溝（７２）によって分割される弾発支持部（７１）を設け、前記挿入棒の係止部（２２２）が前記組立孔（７０）の弾発支持部（７１）に支持されて離脱防止されるように組み立てて構成してなることを特徴とする、請求項２または３に記載の衣類用圧縮保管ケースの空気排出弁。
【発明の詳細な説明】
【技術分野】
【０００１】
本発明は、圧縮保管ケース内の空気を抜き出して圧縮保管する空気排出弁に係り、より詳しくは、圧縮保管ケースの空気を円滑に排出すると共に気密性によって外部空気の流入を効果的に遮断することにより、使用効率性を改善し、湿気、カビ菌などの浸透を効果的に防止するうえ、ハンガー方式で衣類を掛けて簡便に保管するように提供する衣類用圧縮保管ケースの空気排出弁に関する。
【背景技術】
【０００２】
一般に、圧縮保管ケースは、布団などを入れた後、内部の空気を抜き出して圧縮保管する方式を採用している。
【０００３】
この種の圧縮保管ケースは、布団などの体積を最小化するので、保管、運搬の便利性を提供するうえ、湿気、カビ菌などの浸透を防止して布団を効果的に管理する。
【０００４】
このような圧縮保管ケースは、布団だけでなく、衣類などの圧縮保管にも使用する。
【０００５】
すなわち、前述した圧縮保管ケースは、内部に布団、衣類などを保管する合成樹脂シートから形成された保管ケースと、前記保管ケースに設置され、内部の空気を外部に排出するための空気排出弁とから構成されている。
【０００６】
したがって、圧縮保管ケースの内部に布団や衣類などを挿入し、その入り口を閉鎖した後、空気排出弁を介して真空掃除機などによって内部の空気を吸入排出することにより、圧縮保管ケース内の布団や衣類などを圧縮して体積を減らす。
【０００７】
このような圧縮保管ケースにおいて、空気排出弁は最も核心なパーツである。本出願人は圧縮保管ケースの空気排出弁に関連した技術を多数先出願したことがある。
【０００８】
例えば、特許文献１に開示した空気排出弁は、図１に示すように、真空保管ケース２に設置される本体３と、前記本体の上部に結合する支持板４と、前記本体と前記支持板との間の内側空間部５に挿入され、上下に昇降して空気通路を開閉するレバー６とから構成するが、前記本体３は、内周上に凹部３ａと密着突起３ｂを備え、レバー６の下部に結合したＯリング７が凹部に挿入されることにより凹部３ａおよび密着突起３ｂに密着する気密構造を提供する。
【０００９】
このような空気排出弁は、前記レバー６を昇降させて空気の通路を開閉するが、レバーのＯリング７が本体３の凹部３ａに挿入されることにより凹部３ａと密着突起３ａにそれぞれ側面、底面が密着する気密作動を提供する。
【００１０】
ところが、前述した空気排出弁は、前記レバー６とＯリング７の昇降過程で前記Ｏリングが本体の凹部３ａに摩擦されるため、Ｏリング７がレバー６に結合した状態で分離され、これにより継続的な気密保持が困難になるという問題点があった。
【００１１】
これを改善するために、特許文献２に開示した空気排出弁は、図２に示すように、真空保管ケース２に設置される本体３と、前記本体の上部に結合する支持板４と、前記本体と前記支持板との間の内側空間部５に挿入され、昇降して空気通路を開閉するレバー６とから構成し、前記本体３の内側円周上に設けられたパッキング組立溝３−１にパッキング８を挿入して組み立てるが、前記パッキング８の上端は、前記支持板４の内側から突出した支持突起４−１とレバー６の密着段差面６−１とが内外側で密着する気密構造を提供する。
【００１２】
このような空気排出弁は、前記レバー６を昇降させて空気通路を開閉するが、レバーの密着段差面６−１が、本体３の組立溝３−１と支持板の支持突起４−１との間に密着支持されたパッキング８の内側に密着する気密作動を提供する。
【００１３】
ところが、前述した空気排出弁は、支持板４の支持突起４−１が内側空間部５に突出する構造を持つため、前記空間部を介して流通する空気の流れを妨害して作動の効率性を低下させるという問題点があった。
【００１４】
また、前述した本出願人によって先出願された全ての空気排出弁は、支持板４の中央にレバー６が昇降案内される構造および空気が流通する溝の構造が全て露出されているため、気密保持の効率が低下するうえ、外部の異物や水気などが流入するという問題点があった。
【００１５】
また、前述した本出願人によって先出願された圧縮保管ケースはいずれも、布団や衣類などの保管に使用するが、特に衣類を保管する場合、内部における衣類の偏りが防止されるように整然と保管することが難しいという問題点、および圧縮保管ケース自体を衣類などの保管方法によって別途に簡便に保管することが難しいという問題などを持っている。
【特許文献１】韓国実用新案第４１４９９９号明細書
【特許文献２】韓国特許第６８４６６９号明細書
【発明の開示】
【発明が解決しようとする課題】
【００１６】
そこで、本発明は、上述した従来の技術および本出願人によって先出願された技術の諸般問題点を解決するためのもので、その目的は、本体、カバー、レバーおよびパッキングの組立構造を改善して圧縮保管ケースの空気を円滑に排出するとともに、気密性によって外部空気の流入を効果的に遮断することにより、使用効率性を改善し、湿気、カビ菌などの浸透を効果的に防止することが可能な、衣類用圧縮保管ケースの空気排出弁を提供することにある。
【００１７】
また、本発明の他の目的は、圧縮保管ケースの内部に多数の衣類をハンガー方式で掛けて効果的に保管し、前記圧縮保管ケース自体もハンガー方式で掛けて簡便に保管することを可能にする、衣類用圧縮保管ケースの空気排出弁を提供することにある。
【課題を解決するための手段】
【００１８】
上記目的を達成するために、本発明は、本体とカバーとを真空保管ケースの上下で互に組み立てて設置し、内部空間部にレバーを挿入し、昇降させることにより、本体とカバーとの間に設置されるパッキングに密着させて空気通路を開閉するように構成するが、前記本体の上部外側には上部の内、外側に突出する密着部を有するパッキングを挿入して組み立てて構成し、前記パッキングの外側密着部は上下でカバーの下部支持面と本体の上部支持面が加圧密着し、前記内側密着部は上側に設けられた水平支持面および内側に設けられた垂直支持面とからなり、レバーの下部円周上に段差を付けて設けられた密着溝の水平密着面および垂直密着面が水平、垂直に密着するように構成してなる、衣類用圧縮保管ケースの空気排出弁を提供する。
【００１９】
ここで、前記カバーと前記レバーの水平密着面には、下部に突出する加圧突起を設けることを特徴とする。
【００２０】
前記レバーの上部には、カバーの中央に設けられる案内孔および空気通路を遮断する蓋を組み立てて構成することを特徴とする。
【００２１】
前記カバーの上部には、放射状に真空掃除機のような吸入口を設置し、吸入作動の際に外部空気を流入する多数の空気通路を設けることを特徴とする。
【００２２】
本発明は、前記本体の上部両側から上方に対向して突出する連結輪部と、前記連結輪部に弾発的に挿入されて前後に回転可能に組み立てられる連結本体と、前記連結本体の上部中央の組立孔に挿入棒が回転可能に挿入されて組み立てられるフック部とによって、ハンガー方式で掛けて保管することが可能なフック組立体を構成することを特徴とする。
【００２３】
前記本体の連結輪部には、組立孔における上部の一側外周縁に、薄肉部を成すように、凹部を設け、前記連結本体の組立部は、「コ」字状のボディの両側に、前記連結輪部の組立孔に弾発的に挿入されて離脱防止のために係止される係止片を対向して設けることを特徴とする。
【００２４】
前記フック部の下端の挿入棒には係止部を設け、前記連結本体の組立孔には円周上に多数の分割溝によって分割される弾発支持部を設け、前記挿入棒の係止部が組立孔の弾発支持部に支持されて離脱防止されるように組み立てて構成することを特徴とする。
【００２５】
前記本体の下部中央には組立孔を設け、この組立孔にはハンガー孔を形成するハンガー具の上部の挿入棒を挿入して回転可能に互に組み立てて構成するが、前記挿入棒には係止部を設け、前記本体の組立孔には円周上に多数の分割溝によって分割される弾発支持部を設け、前記挿入溝の係止部が組立孔の弾発支持部に支持されて離脱防止されるように組み立てて構成することを特徴とする。
【発明の効果】
【００２６】
本発明によれば、本体、カバー、レバーおよびパッキングの組立構造を改善して圧縮保管ケースの空気を円滑に排出するとともに、気密性によって外部空気の流入を効果的に遮断することにより、使用効率性を改善し、湿気、カビ菌などの浸透を効果的に防止するうえ、圧縮保管ケースの内部に多数の衣類をハンガー方式で掛けて効果的に保管し、前記圧縮保管ケース自体もハンバー方式で掛けて簡便に保管することができるという効果を持つ。
【発明を実施するための最良の形態】
【００２７】
以下に図３〜図１２を参照しながら、本発明の好適な実施例について詳細に説明する。
【００２８】
本発明の衣類用圧縮保管ケースの空気排出弁１は、中央に空気通路１１を有する本体１０と、中央に案内孔２２および空気通路２１を有するカバー２０とを、真空保管ケース２の上下で互に組み立てて設置し、前記本体１０と前記カバー２０間の内部空間部３０にレバー４０を挿入し、昇降させることにより、本体とカバーとの間に設置されるパッキングに密着させて空気通路を開閉するように構成される。
【００２９】
この際、前記本体１０の空気通路１１の上部外側には円周上にパッキング組立溝１５を設け、前記パッキング組立溝１５には上部の内外側に突出する密着部５１、５５を有するパッキング５０を挿入して組み立てる。
【００３０】
前記パッキングの外側密着部５１は、上下でカバー２０の下部支持面２３と本体１０の上部支持面１３が加圧密着し、前記パッキングの内側密着部５５は、上側に設けられた水平支持面５６と、内側に設けられた垂直支持面５７とからなり、レバー４０の下部円周上に段差を付けて設けられた密着溝４５の水平密着面４６と垂直密着面４７が水平、垂直に密着するように構成される。
【００３１】
この際、前記カバー２０の下部支持面２３とレバー４０の水平密着面４６それぞれには、下方に突出してパッキング５０の密着部５１、５５に加圧密着するように円周上に加圧突
起２４、４４を設ける。
【００３２】
前記レバー４０の上部には、カバー２０の中央に設けられる案内孔２２および空気通路２１を遮断する蓋６０が組み立てられて構成される。
【００３３】
しかも、本発明では、空気排出弁１の本体１０の上部両側から上方に突出し、組立孔１１２を有する連結輪部１１０、１１０と、前記連結輪部に両側組立部１２１、１２１が弾発的に挿入されて前後に回転可能に組み立てられる連結本体１２０と、前記連結本体の上部中央の組立孔１２５に挿入棒１３１が回転可能に挿入されて組み立てられるフック部１３０とによって、ハンガー方式で掛けて保管することが可能なフック組立体１００を構成する。
【００３４】
この際、前記本体１０の連結輪部１１０、１１０には、組立孔１１２における上部の一側外周縁に、薄肉部を成すように、凹部１１３を設け、前記連結本体の組立部１２１、１２１は、「コ」字状のボディ１２２の両側に、前記連結輪部の組立孔１１２に弾発的に挿入されて離脱防止のために係止される係止片１２３、１２３を対向して設ける。
【００３５】
前記フック部１３０の下端の挿入棒１３１には係止部１３２を設け、前記連結本体の組立孔１２５には円周上に多数の分割溝１２７によって分割される弾発支持部１２６を設け、前記挿入溝１３１の係止部１３２が組立孔の弾発支持部１２６に支持されて離脱防止されるように組み立てて構成される。
【００３６】
また、前記空気排出弁１の本体１０の下部中央に組立孔７０を設け、この組立孔７０には、ハンガー孔２１０を形成するハンガー具２００の上部の挿入棒２２０を挿入することにより、回転可能に互に組み立てて構成される。
【００３７】
前記挿入棒２２０には係止部２２２を設け、前記本体の組立孔７０には円周上に多数の分割溝７２によって分割される弾発支持部７１を設け、前記挿入棒の係止部２２２が組立孔の弾発支持部７１に支持されて離脱防止されるように組み立てて構成される。
【００３８】
未説明符号として、１４は本体１０のリブを示し、１９はカバー２０上の嵌合突起２９と嵌合する本体１０上の嵌合溝を示し、２５は挿入孔を示す。
【００３９】
次に、前述したように構成された本発明の作動および作用について説明する。
【００４０】
本発明は、衣類などを圧縮保管ケース２に入れた後、圧縮保管ケースを密閉させる。
【００４１】
この際、前記衣類を別途のハンガー３００などに掛けられた状態で入れ、前記ハンガー３００を、空気排出弁１の下部組立孔７０に挿入されて組み立てられたハンガー具２００のハンガー孔２１０に掛けて支持する。
【００４２】
これは、後述するように、圧縮保管ケース２をハンガー方式で掛けて保管するときに衣類の偏りを防止し且つ整然と内蔵された状態で保管するためである。
【００４３】
こうして多数の衣類を圧縮保管ケース２に入れて保管する。
【００４４】
このような状態で前記圧縮保管内２の空気を抜き出して体積を最小化することにより、効果的に保管する。
【００４５】
まず、前記空気排出弁１の上部に結合したフック組立体１００の連結本体１２０を本体１０の連結輪部１１０、１１０の上部で側面に回転させる。
【００４６】
この際、前記連結本体１２０の両側組立部１２１、１２１に設けられた係止片１２３、１２３が連結輪部１１０、１１０の組立孔１１２に挿入支持された状態で回転する。
【００４７】
その後、空気排出弁１のカバー２０の上部に真空掃除機などの吸入口を密着させて吸入作動させることにより、レバー４０を上部に持ち上げるための開放作動を行う。
【００４８】
このように前記レバー４０が上部に持ち上げられると、前記レバー４０の上部に結合した蓋６０が上昇しながらカバー２０の上部空気通路２１を開放するとともに、前記レバーの密着溝４５の水平密着面４６および垂直密着面４７がパッキング５０の内側密着部５５の水平支持面５６および垂直支持面５７から離脱しながら空気通路１１を開放する。
【００４９】
こうして本体１０およびカバー２０の空気通路１１、２１が開放されることにより、保管ケース２内の空気は順次下部空気通路１１、内部空間部５０および上部空気通路２１を介して吸入排出される。
【００５０】
この際、前記パッキング５０は、本体１０の上部支持面１３とカバー２０の下部支持面２３との間で外側密着部５１が加圧支持されて設置されるので、堅固な組み立ておよび従来のパッキングの支持設置のために空間部の内部に突出する支持突起の形成を排除して空気の流れを妨害する要素を除去する。これにより、空気の吸入、排出作動が円滑に提供される。
【００５１】
このように前記保管ケース２内の空気を全て排出して圧縮が完了すると、前記真空掃除機などの吸入口をカバー２０の上部から分離する。
【００５２】
このように吸入口を分離すると、吸入口による吸入力が除去されて外部圧力の差によってレバー４０が原位置に下降することにより閉鎖作動する。
【００５３】
すなわち、前記レバー４０の密着溝４５の水平密着面４６および垂直密着面４７がパッキング５０の内側密着部５５の水平支持面５６および垂直支持面５７に水平、垂直方向に密着することにより、気密を提供するのである。
【００５４】
特に、前記レバー４０の水平密着面４６に突設された加圧突起４４がパッキング５０の水平支持面５６を加圧してパッキングとのさらに優れた気密を提供する。
【００５５】
また、前記レバー４０の下降による気密作動と共に、前記蓋６０が下降復帰しながらカバー２０の上部を遮断するので、カバー２０の案内孔２２、空気通路２１を遮断して各種異物または水気の内部流入を防止し且つさらに優れた内部気密を提供する。
【００５６】
このようにして圧縮保管ケース２の圧縮作業が全て完了すると、空気排出弁１の本体１０の上部に結合したフック組立体１００の連結本体１２０を垂直に原位置回転させる。
【００５７】
このような状態で前記連結本体の上部に結合したフック部１３０を用いて箪笥、またはその他のハンガーを掛けておく空間にハンガー方式で掛けて簡便に保管する。
【００５８】
この際、前記圧縮保管ケース２内の衣類は、前述したように、別途のハンガー３００などに掛けられた状態で、空気排出弁１に組み立てられたハンガー具２００のハンガー孔２１０に掛けて支持するので、保管中に衣類の偏りを防止し且つ整然と内蔵された状態で保管する。
【００５９】
一方、前述した本発明のフック組立体１００は、空気排出弁１に簡便に組立設置して使用する。すなわち、空気排出弁１の本体１０の上部両側から突設された連結輪部１１０、１１０の組立孔１１２に連結本体１２０の両側組立部１２１、１２１を挿入して組み立てる。
【００６０】
この際、前記連結本体の組立部１２１、１２１は、「コ」字状のボディ１２２の両側に対向して設けられた係止片１２３、１２３が連結輪部の組立孔１１２に弾発的に挿入され、離脱防止のために係止される。
【００６１】
特に、前記連結輪部１１０には、組立孔における一側上部の外周縁によって挟持の厚さを成すように設けられた凹部１１３に沿って連結本体の組立部１２１を簡便に組み立てる。
【００６２】
このように組み立てられた連結本体１２０の上部中央の組立孔１２５にはフック部１３０の挿入棒１３１を回転可能に挿入して組み立てる。
【００６３】
この際、前記フック部１３０の挿入棒１３１に設けられた係止部１３２が、前記連結本体の組立孔１２５に設けられた弾発支持部１２６に弾発的に挿入されて係止される。
【００６４】
また、前記空気排出弁１の本体１０の下部中央に設けられた組立孔７０には、ハンガー具２００の上部の挿入棒２２０を回転可能に挿入して組み立てる。
【００６５】
この際、前記ハンガー具の挿入棒２２０に設けられた係止部２２２が、前記本体１０の組立孔７０に設けられた弾発支持部７１に弾発的に挿入されて係止される。
【００６６】
したがって、本発明のフック組立体１００、ハンガー具２００は、空気排出弁１の上、下部に簡便に組立設置して使用することができる。
【図面の簡単な説明】
【００６７】
【図１】本出願人によって先出願された空気排出弁の一実施例を示す断面図である。
【図２】本出願人によって先出願された空気排出弁の他の実施例を示す断面図である。
【図３】本発明の全体的な斜視図である。
【図４】本発明の全体的な断面構成図である。
【図５】本発明の全体的な分解断面構成図である。
【図６】本発明の空気排出弁の分解断面構成図である。
【図７】本発明の連結本体の底面図である。
【図８】本発明の本体の底面図である。
【図９Ａ】本発明の要部の結合構造を示す抜粋断面図である。
【図９Ｂ】本発明の要部の結合構造を示す抜粋断面図である。
【図９Ｃ】本発明の要部の結合構造を示す抜粋断面図である。
【図１０】本発明の使用状態図である。
【図１１】本発明の使用状態図である。
【図１２】本発明の使用状態図である。
【符号の説明】
【００６８】
１０    本体
１１、２１    空気通路
２０    カバー
２２    案内孔
３０    内部空間部
４０    レバー
１５    パッキング組立溝
５１、５５    密着部
５０    パッキング
１３、２３    支持面
６０    蓋
１００    フック組立体
１１０    連結輪部
１１２    組立孔
１２０    連結本体
１２１    組立部
１２５    組立孔
１３１    挿入棒
１３０    フック部
１１３    凹部
１２３    係止片
１３２、２２２    係止部
７１、１２６    弾発支持部
７２、１２７    分割溝
【図１】
2010064789.tif 000003
【図２】
2010064789.tif 000004
【図３】
2010064789.tif 000005
【図４】
2010064789.tif 000006
【図５】
2010064789.tif 000007
【図６】
2010064789.tif 000008
【図７】
2010064789.tif 000009
【図８】
2010064789.tif 000010
【図９Ａ】
2010064789.tif 000011
【図９Ｂ】
2010064789.tif 000012
【図９Ｃ】
2010064789.tif 000013
【図１０】
2010064789.tif 000014
【図１１】
2010064789.tif 000015
【図１２】
2010064789.tif 000016